(57)【要約】      （修正有）【課題】小型化を確保した上で大きさの異なる電子機器をホルダーに容易に取付可能とする。【解決手段】電子機器２００を保持するホルダー３と、ホルダー３に所定の方向へ移動自在に支持されると共にホルダー３に保持された電子機器２００に接触されるアジャスター２７と、ホルダー３に保持された電子機器２００にアジャスター２７を押し付ける方向へ付勢する付勢バネ２６を設け、アジャスター２７の少なくとも一部が電子機器２００に押圧されて弾性変形可能な弾性変形部３３として設けられ、電子機器２００がホルダー３に保持されるときに電子機器２００の大きさに応じてアジャスター２７が移動されて付勢バネ２６が弾性変形され又はアジャスター２７が移動されて付勢バネ２６と弾性変形部３３が弾性変形されるようにした。【選択図】図２９
2013091334.tif 000002
【特許請求の範囲】
【請求項１】
電子機器を保持するホルダーと、
前記ホルダーに所定の方向へ移動自在に支持されると共に前記ホルダーに保持された前記電子機器に接触されるアジャスターと、
前記ホルダーに保持された前記電子機器に前記アジャスターを押し付ける方向へ付勢する付勢バネとを備え、
前記アジャスターの少なくとも一部が前記電子機器に押圧されて弾性変形可能な弾性変形部として設けられ、
前記電子機器が前記ホルダーに保持されるときに前記電子機器の大きさに応じて前記アジャスターが移動されて前記付勢バネが弾性変形され又は前記アジャスターが移動されて前記付勢バネと前記弾性変形部が弾性変形されるようにした
接続装置。
【請求項２】
前記所定の方向が前記電子機器の厚み方向にされた
請求項１に記載の接続装置。
【請求項３】
前記アジャスターに弾性変形部から外方へ張り出されたフランジ部が設けられ、
前記フランジ部を樹脂材料又は金属材料によって形成した
請求項１に記載の接続装置。
【請求項４】
前記アジャスターの弾性変形部と前記弾性変形部以外の部分とを一体に形成した
請求項３に記載の接続装置。
【請求項５】
前記弾性変形部をゴム材料によって形成した
請求項１に記載の接続装置。
【請求項６】
前記アジャスターを前記所定の方向へ案内する案内部を設けた
請求項１に記載の接続装置。
【請求項７】
前記案内部を前記ホルダーに一体に設けた
請求項６に記載の接続装置。
【請求項８】
前記電子機器が前記ホルダーに保持されたときに前記アジャスターの前記所定の方向における一定量以上の移動を規制する移動規制部を設け、
前記移動規制部によって前記アジャスターの移動が規制された状態において前記弾性変形部が弾性変形可能とされた
請求項１に記載の接続装置。
【請求項９】
前記移動規制部を前記ホルダーに一体に設けた
請求項８に記載の接続装置。
【請求項１０】
前記アジャスターが前記電子機器に接触される接触部と前記接触部の外周縁から突出された外周部とを有し、
前記ホルダーに前記アジャスターの一部が挿入されて配置される挿入配置孔が形成され、
前記外周部が前記接触部から離隔するに従って外形が大きくなる形状に形成された
請求項１に記載の接続装置。
【請求項１１】
前記ホルダーに前記アジャスターを支持するベース部と前記ベース部の両端部からそれぞれ略同じ方向へ突出され前記電子機器の両端部に係合して前記電子機器を挟持する一対の保持突部とを設けた
請求項１に記載の接続装置。
【発明の詳細な説明】
【技術分野】
【０００１】
本技術は接続装置についての技術分野に関する。詳しくは、ホルダーに保持される電子機器の大きさに応じて付勢バネ又はアジャスターの弾性変形部が弾性変形されるようにして小型化を確保した上で大きさの異なる電子機器をホルダーに容易に取付可能とする技術分野に関する。
【背景技術】
【０００２】
携帯用の音楽記録再生装置や携帯電話等の電子機器が接続される接続装置がある。
【０００３】
このような接続装置は、例えば、電子機器を保持するホルダーを有し、例えば、車内のダッシュボード等に取り付けられる。接続装置は、例えば、車載用のスピーカーユニットにデーターの出力等を行うための処理装置（デジタル・シグナル・プロセッサー・ユニット：Digital Signal Processor Unit）に接続される。接続装置が処理装置に接続されると、ホルダーに保持された電子機器の音楽データー等が処理装置を介してスピーカーユニットに送出され、スピーカーユニットから高品質の音声が出力される。
【０００４】
上記のような接続装置には、大きさ（厚み）の異なる電子機器の取付が可能とされたものがある（例えば、特許文献１及び特許文献２参照）。
【０００５】
特許文献１に記載された接続装置にあっては、前面板と背面板をリンク機構によって連結しリンク機構の動作に応じて前面板と背面板の距離を変化させることにより厚みの異なる電子機器を前面板と背面板の間において保持する構造にされている。
【０００６】
特許文献２に記載された接続装置にあっては、背面板に着脱可能な突起部材を設け、突起部材を背面板に向きを変更して取り付けることにより突起部材の背面板に対する前面の位置を変化させて厚みの異なる電子機器を保持する構造にされている。
【０００７】
【特許文献１】実開平１０−１３９号公報
【特許文献２】特開２００１−７７８９９号公報
【発明の開示】
【発明が解決しようとする課題】
【０００８】
ところが、特許文献１に記載された接続装置にあっては、前面板と背面板と両者を連結するリンク機構とが設けられているため、電子機器の厚みに対応する機構が複雑であり部品点数も多く、その分、接続装置の小型化に支障を来たしている。
【０００９】
また、特許文献２に記載された接続装置にあっては、厚みの異なる電子機器の取付に際して電子機器の厚みに応じて突起部材を背面板に向きを変更して取り付ける必要があり、電子機器の取付作業が面倒であり電子機器を容易に取り付けることができないと言う問題がある。
【００１０】
そこで、本技術接続装置は、上記した問題点を克服し、小型化を確保した上で大きさの異なる電子機器をホルダーに容易に取付可能とすることを課題とする。
【課題を解決するための手段】
【００１１】
第１に、接続装置は、上記した課題を解決するために、電子機器を保持するホルダーと、前記ホルダーに所定の方向へ移動自在に支持されると共に前記ホルダーに保持された前記電子機器に接触されるアジャスターと、前記ホルダーに保持された前記電子機器に前記アジャスターを押し付ける方向へ付勢する付勢バネとを備え、前記アジャスターの少なくとも一部が前記電子機器に押圧されて弾性変形可能な弾性変形部として設けられ、前記電子機器が前記ホルダーに保持されるときに前記電子機器の大きさに応じて前記アジャスターが移動されて前記付勢バネが弾性変形され又は前記アジャスターが移動されて前記付勢バネと前記弾性変形部が弾性変形されるようにしたものである。
【００１２】
従って、接続装置にあっては、電子機器がホルダーに保持されるときに電子機器に押圧されて付勢バネ又は付勢バネと弾性変形部が弾性変形される。
【００１３】
第２に、上記した接続装置においては、前記所定の方向が前記電子機器の厚み方向にされることが望ましい。
【００１４】
所定の方向が電子機器の厚み方向にされることにより、電子機器がホルダーに保持されるときに電子機器に押圧されて付勢バネ又は付勢バネと弾性変形部が電子機器の厚み方向において弾性変形される。
【００１５】
第３に、上記した接続装置においては、前記アジャスターに弾性変形部から外方へ張り出されたフランジ部が設けられ、前記フランジ部を樹脂材料又は金属材料によって形成することが望ましい。
【００１６】
アジャスターに弾性変形部から外方へ張り出されたフランジ部が設けられ、フランジ部を樹脂材料又は金属材料によって形成することによりアジャスターの剛性が高くなり、アジャスターが電子機器によって押圧されたときに塑性変形しない。
【００１７】
第４に、上記した接続装置においては、前記アジャスターの弾性変形部と前記弾性変形部以外の部分とを一体に形成することが望ましい。
【００１８】
アジャスターの弾性変形部と弾性変形部以外の部分とを一体に形成することにより、アジャスターが一部品によって形成される。
【００１９】
第５に、上記した接続装置においては、前記弾性変形部をゴム材料によって形成することが望ましい。
【００２０】
弾性変形部をゴム材料によって形成することにより、電子機器によってアジャスターが押圧されたときに弾性変形部が変形し易くなる。
【００２１】
第６に、上記した接続装置においては、前記アジャスターを前記所定の方向へ案内する案内部を設けることが望ましい。
【００２２】
アジャスターを所定の方向へ案内する案内部を設けることにより、アジャスターが移動方向に対して傾かない。
【００２３】
第７に、上記した接続装置においては、前記案内部を前記ホルダーに一体に設けることが望ましい。
【００２４】
案内部をホルダーに一体に設けることにより、部品点数が低減する。
【００２５】
第８に、上記した接続装置においては、前記電子機器が前記ホルダーに保持されたときに前記アジャスターの前記所定の方向における一定量以上の移動を規制する移動規制部を設け、前記移動規制部によって前記アジャスターの移動が規制された状態において前記弾性変形部が弾性変形可能とされることが望ましい。
【００２６】
電子機器がホルダーに保持されたときにアジャスターの所定の方向における一定量以上の移動を規制する移動規制部を設け、移動規制部によってアジャスターの移動が規制された状態において弾性変形部が弾性変形可能とされることにより、アジャスターの移動量が少なくなる。
【００２７】
第９に、上記した接続装置においては、前記移動規制部を前記ホルダーに一体に設けることが望ましい。
【００２８】
移動規制部をホルダーに一体に設けることにより、部品点数が低減する。
【００２９】
第１０に、上記した接続装置においては、前記アジャスターが前記電子機器に接触される接触部と前記接触部の外周縁から突出された外周部とを有し、前記ホルダーに前記アジャスターの一部が挿入されて配置される挿入配置孔が形成され、前記外周部が前記接触部から離隔するに従って外形が大きくなる形状に形成されることが望ましい。
【００３０】
ホルダーにアジャスターの一部が挿入されて配置される挿入配置孔が形成され、外周部が接触部から離隔するに従って外形が大きくなる形状に形成されることにより、弾性変形部が弾性変形された状態において弾性変形部が挿入配置孔から外側にはみ出さない。
【００３１】
第１１に、上記した接続装置においては、前記ホルダーに前記アジャスターを支持するベース部と前記ベース部の両端部からそれぞれ略同じ方向へ突出され前記電子機器の両端部に係合して前記電子機器を挟持する一対の保持突部とを設けることが望ましい。
【００３２】
ホルダーにアジャスターを支持するベース部とベース部の両端部からそれぞれ略同じ方向へ突出され電子機器の両端部に係合して電子機器を挟持する一対の保持突部とを設けることにより、電子機器が一対の保持突部に挟持されてホルダーに保持される。
【発明の効果】
【００３３】
本技術接続装置は、電子機器を保持するホルダーと、前記ホルダーに所定の方向へ移動自在に支持されると共に前記ホルダーに保持された前記電子機器に接触されるアジャスターと、前記ホルダーに保持された前記電子機器に前記アジャスターを押し付ける方向へ付勢する付勢バネとを備え、前記アジャスターの少なくとも一部が前記電子機器に押圧されて弾性変形可能な弾性変形部として設けられ、前記電子機器が前記ホルダーに保持されるときに前記電子機器の大きさに応じて前記アジャスターが移動されて前記付勢バネが弾性変形され又は前記アジャスターが移動されて前記付勢バネと前記弾性変形部が弾性変形されるようにしている。
【００３４】
従って、大きさの大きい電子機器がホルダーに保持されるときに弾性変形部が弾性変形されるため、アジャスターが一定以上には移動されることがなく、その分、接続装置の他の構造の十分な配置スペースが確保され、小型化を確保した上で大きさの異なる電子機器を保持することができる。
【００３５】
また、大きさの異なる電子機器の接続装置に対する着脱を、常に同じ作業によって行うことができ、電子機器をホルダーに容易に着脱することができる。
【００３６】
請求項２に記載した技術にあっては、前記所定の方向が前記電子機器の厚み方向にされている。
【００３７】
従って、電子機器の厚み方向において接続装置の小型化を確保した上で厚みの異なる電子機器を保持することができる。
【００３８】
請求項３に記載した技術にあっては、前記アジャスターに弾性変形部から外方へ張り出されたフランジ部が設けられ、前記フランジ部を樹脂材料又は金属材料によって形成している。
【００３９】
従って、アジャスターの剛性が高く、アジャスターが電子機器によって押圧されたときに塑性変形することがなく、アジャスターの良好な機能性を確保することができる。
【００４０】
請求項４に記載した技術にあっては、前記アジャスターの弾性変形部と前記弾性変形部以外の部分とを一体に形成している。
【００４１】
従って、アジャスターを容易に形成することができると共に部品点数の削減が図られ、その分、接続装置の製造コストの低減を図ることができる。
【００４２】
請求項５に記載した技術にあっては、前記弾性変形部をゴム材料によって形成している。
【００４３】
従って、アジャスターが電子機器によって押圧されたときに弾性変形部を確実に弾性変形させることができる。
【００４４】
請求項６に記載した技術にあっては、前記アジャスターを前記所定の方向へ案内する案内部を設けている。
【００４５】
従って、アジャスターが移動方向に対して傾くことがなく、アジャスターの円滑な移動動作を確保することができる。
【００４６】
請求項７に記載した技術にあっては、前記案内部を前記ホルダーに一体に設けている。
【００４７】
従って、部品点数の削減を図ることができる。
【００４８】
請求項８に記載した技術にあっては、前記電子機器が前記ホルダーに保持されたときに前記アジャスターの前記所定の方向における一定量以上の移動を規制する移動規制部を設け、前記移動規制部によって前記アジャスターの移動が規制された状態において前記弾性変形部が弾性変形可能とされている。
【００４９】
従って、アジャスターの移動量が少なくて済み、その分、アジャスターの小型化を確保することができる。
【００５０】
請求項９に記載した技術にあっては、前記移動規制部を前記ホルダーに一体に設けている。
【００５１】
従って、一層の部品点数の削減を図ることができる。
【００５２】
請求項１０に記載した技術にあっては、前記アジャスターが前記電子機器に接触される接触部と前記接触部の外周縁から突出された外周部とを有し、前記ホルダーに前記アジャスターの一部が挿入されて配置される挿入配置孔が形成され、前記外周部が前記接触部から離隔するに従って外形が大きくなる形状に形成されている。
【００５３】
従って、弾性変形部が弾性変形された状態において弾性変形部が挿入配置孔から外側にはみ出してしまうことがなく、電子機器のホルダーに対する適正な保持状態を確保することができると共にアジャスターの傷付きや破損を防止することができる。
【００５４】
請求項１１に記載した技術にあっては、前記ホルダーに前記アジャスターを支持するベース部と前記ベース部の両端部からそれぞれ略同じ方向へ突出され前記電子機器の両端部に係合して前記電子機器を挟持する一対の保持突部とを設けている。
【００５５】
従って、電子機器を確実かつ容易にホルダーに保持させることができる。
【発明を実施するための最良の形態】
【００５６】
以下に、本技術接続装置を実施するための最良の形態を添付図面に従って説明する。
【００５７】
以下に示した最良の形態は、本技術接続装置を、車内において用いられ車載用のスピーカーユニットにデーターの出力等を行うための処理装置に接続される接続装置に適用したものである。
【００５８】
但し、本技術の適用範囲は車載用のスピーカーユニットにデーターの出力等を行うための処理装置に接続される接続装置に限られることはない。本技術接続装置は、電子機器を保持する各種の接続装置に広く適用することができる。特に、接続装置は、携帯電話や携帯用の音楽記録再生装置（ＤＭＰ：Digital Music Player）が接続される所謂クレードルと称される接続装置に好適である。
【００５９】
［電子機器の概略構成］
先ず、接続装置に接続される電子機器について説明する（図１及び図２参照）。
【００６０】
接続装置には、厚みの異なる電子機器１００及び電子機器２００が選択的に接続可能とされている（図１参照）。
【００６１】
電子機器１００は、例えば、携帯用の音楽記録再生装置であり、扁平な縦長の略矩形状に形成されている。電子機器１００は厚み方向が前後方向にされている。
【００６２】
電子機器１００は前面に表示面１００ａ及び操作部１００ｂを有している。表示面１００ａは、例えば、タッチパネルとしても機能し、表示面１００ａ又は操作部１００ｂを操作することにより、記録された音楽データー等の外部への出力や音楽データーの選択等の所定の処理を実行することが可能とされている。
【００６３】
電子機器１００の下端部には下方に開口された雌型コネクター１０１が設けられている。
【００６４】
電子機器２００は、例えば、携帯用の音楽記録再生装置であり、扁平な縦長の略矩形状に形成されている。電子機器２００は厚み方向が前後方向にされている。電子機器２００の厚みは、例えば、電子機器１００の厚みより厚くされている。
【００６５】
電子機器２００は前面に表示面２００ａ及び操作部２００ｂを有している。表示面２００ａは、例えば、タッチパネルとしても機能し、表示面２００ａ又は操作部２００ｂを操作することにより、記録された音楽データー等の外部への出力や音楽データーの選択等の所定の処理を実行することが可能とされている。
【００６６】
電子機器２００の下端部には下方に開口された雌型コネクター２０１が設けられている。
【００６７】
電子機器１００、２００にはそれぞれ保護カバー３００、４００が着脱可能とされている（図２参照）。保護カバー３００、４００は、例えば、シリコンゴム等の柔軟な材料によって形成され、電子機器１００、２００に取り付けられて電子機器１００、２００の傷付きや損傷等を防止する機能を有する。保護カバー３００、４００の厚みは、例えば、１ｍｍ程度にされている。
【００６８】
電子機器１００、２００に保護カバー３００、４００が取り付けられた状態においては、電子機器１００、２００と保護カバー３００、４００を合わせた全体の大きさが電子機器１００、２００より保護カバー３００、４００の分だけ大きくなる。
【００６９】
［接続装置の構成］
次に、接続装置について説明する（図１、図３乃至図１５参照）。
【００７０】
接続装置１はスタンド２とホルダー３を有している（図１及び図３参照）。
【００７１】
スタンド２は被取付板４と被取付板４に回動自在に連結された支え脚５とを有している。被取付体４は上下方向を向く略円板状に形成され、下面側に図示しない吸盤を有している。被取付体４には吸着操作部４ａが設けられている。被取付体４には上方へ突出された支持突部４ｂが設けられている。
【００７２】
吸着操作部４ａが操作されると、例えば、車のダッシュボード等の被取付面に吸盤によって被取付体４が吸着され又は被取付面に対する吸着が解除される。
【００７３】
支え脚５は被取付体４の支持突部４ｂに回動自在に連結され、回動されることにより上端部が略前後方向へ移動されるように構成されている。また、支え脚５は被取付体４の一部の周方向における回転に伴って回転可能とされている。
【００７４】
ホルダー３は上下で結合された上側筐体６と下側筐体７を有している。
【００７５】
上側筐体６はフレーム部８とフレーム部８の下側に位置する内側構造部９とから成る（図３参照）。フレーム部８は内側構造部９に対して上下方向へ移動可能とされている。
【００７６】
フレーム部８はフロントキャビネット１０とリアパネル１１が前後で結合されて成る。
【００７７】
フロントキャビネット１０は縦長の形状に形成され、上端部を除く部分が後方に開口され上端部における前端部を除く部分が上方及び後方に開口されている。フロントキャビネット１０は上端部が他の部分より前方に突出されている。フロントキャビネット１０の前端部には下方へ突出された位置規制部１０ａが設けられている。
【００７８】
リアパネル１１は縦長の形状に形成され、上端部が他の部分より前方へ突出されている。
【００７９】
内側構造部９は、図４及び図５に示すように、略前後方向を向く支持部１２と支持部１２の下端部から後方へ突出された連結部１３と連結部１３から下方へ突出され略前後方向を向く板状に形成された基板部１４と基板部１４の略中央部から前方へ突出された支持突部１５とから成る。
【００８０】
支持部１２にはフレーム部８が上下方向へ移動自在に支持されている。
【００８１】
基板部１４の上端部における左右両側部はそれぞれ被取付部１４ａ、１４ａとして設けられている。基板部１４には支持突部１５の周囲に前方へ突出されたバネ押さえ突部１４ｂ、１４ｂ、１４ｂが設けられている。
【００８２】
基板部１４にはバネ押さえ突部１４ｂ、１４ｂ、１４ｂの外周側に前方へ突出された四つの移動規制部１４ｃ、１４ｃ、・・・が上下左右に離隔して一体に設けられている。移動規制部１４ｃ、１４ｃ、・・・の前面は前後方向において同じ位置に形成されている。
【００８３】
支持突部１５は前後に延びる略円筒状に形成され、内部空間が挿入孔１５ａとして形成され、前端部に内方へ張り出された抜け止め部１６が設けられている。抜け止め部１６には周方向において１８０°離隔した位置に内方に開口された挿入用切欠１６ａ、１６ａが形成されている。
【００８４】
下側筐体７はフレーム部１７とフレーム部１７に取り付けられたパネル部１８とを有している（図１及び図３参照）。
【００８５】
フレーム部１７はフロントパネル１９とリアキャビネット２０が前後で結合されて成る。
【００８６】
フロントパネル１９は縦長の形状に形成され、上端部に前後に貫通された挿入配置孔１９ａを有し下端部に上下に貫通された矩形状の配置孔１９ｂを有している（図４参照）。フロントパネル１９は下端部が他の部分より前方へ突出されている。フロントパネル１９の背面には挿入配置孔１９ａの周囲に後方へ突出された案内部１９ｃ、１９ｃ、・・・が前後左右に離隔して一体に設けられている（図４及び図６参照）。
【００８７】
リアキャビネット２０は縦長の形状に形成され、下端部を除く部分が前方に開口され下端部が上方及び前方に開口されている（図４及び図７参照）。リアキャビネット２０は下端部が他の部分より前方へ突出されている。リアキャビネット２０の上端部には後方へ突出された突状配置部２１が設けられ突状配置部２１の後端部には前後に貫通された軸挿通孔２１ａが形成されている。
【００８８】
パネル部１８は、フロントパネル１９とリアキャビネット２０が結合されて構成されたフレーム部１７における下端部に前方から取り付けられている（図３、図７及び図８参照）。
【００８９】
パネル部１８がフレーム部１７に取り付けられた状態においては、パネル部１８の上端部がフレーム部１７の下端部における上面より上方へ突出され、この突出された部分が規制突部２２として設けられている。
【００９０】
下側筐体７に上側筐体６が結合され下側筐体７にパネル部１８が結合されることによりホルダー３が構成される。ホルダー３には、フレーム部８の上端部を除く部分とフレーム部１７の下端部を除く部分とによって略前後方向を向くベース部２３が設けられ、ホルダー３の上端部と下端部はそれぞれベース部２３から前方へ突出された保持突部２４、２５として設けられている。
【００９１】
下側筐体７の上端部における内部には前後方向へ伸縮可能とされた圧縮コイルバネである付勢バネ２６が配置されている（図４参照）。付勢バネ２６は後端部が上側筐体６の内側構造部９に設けられた支持突部１５に外嵌状に支持されバネ押さえ突部１４ｂ、１４ｂ、１４ｂによって周囲から押さえられている。
【００９２】
下側筐体７の上端部にはアジャスター２７が前後方向へ移動自在に支持されている。アジャスター２７はエラストマー等のゴム材料とこのゴム材料より硬度が高い樹脂材料又は金属材料とによる二色成形によって形成されている。
【００９３】
アジャスター２７は、図９乃至図１２に示すように、外形が円形状に形成された調整部２８と調整部２８の後端部から外方へ張り出されたフランジ部２９と調整部２８の後面に設けられた被支持部３０とから成る。
【００９４】
調整部２８は略円板状に形成された接触部３１と接触部３１の外周縁から略後方へ突出された外周部３２とから成り、エラストマー等のゴム材料によって形成されている。接触部３１は外周側の部分以外の部分が円板部３１ａとして設けられ外周側の部分が円板部３１ａから外方へ行くに従って前方へ変位するように傾斜された傾斜部３１ｂとして設けられている。
【００９５】
外周部３２は後方へ行くに従って稍外方へ変位するように緩やかに傾斜されている。
【００９６】
接触部３１の傾斜部３１ｂと外周部３２の後端部以外の部分とは他の部分に対して弾性変形可能な弾性変形部３３として設けられている。
【００９７】
フランジ部２９は外周部３２の後端部における上端部以外の部分から外方へ突出され、調整部２８より剛性の高い樹脂材料又は金属材料によって形成されている。フランジ部２９には前後に貫通された被案内孔２９ａ、２９ａ、・・・が前後左右に離隔して形成されている。
【００９８】
被支持部３０はフランジ部２９と同じ樹脂材料又は金属材料によって形成され、調整部２８の円板部３１ａの後面に連続された基部３０ａと基部３０ａの中央部から後方へ突出された円筒状の軸部３０ｂと軸部３０ｂの後端部における１８０°周方向において離隔した位置からそれぞれ外方へ突出された被規制突部３０ｃ、３０ｃとから成る。
【００９９】
アジャスター２７は被支持部３０の軸部３０ｂが支持突部１５の挿入孔１５ａに前側から挿入されて下側筐体７に前後方向へ移動自在に支持される（図１３及び図１４参照）。
【０１００】
尚、図１３と図１４は、それぞれ図８のＡ−Ａ線に沿う拡大断面図とＹ−Ｙ線に沿う拡大断面図である。
【０１０１】
このとき被支持部３０は被規制突部３０ｃ、３０ｃがそれぞれ挿入用切欠１６ａ、１６ａに挿入されることにより軸部３０ｂが挿入孔１５ａに挿入され、軸部３０ｂが挿入孔１５ａに挿入された状態においてアジャスター２７が所定の角度回転されることにより被規制突部３０ｃ、３０ｃが抜け止め部１６に係合可能な状態とされる。
【０１０２】
アジャスター２７が下側筐体７に支持された状態においては、付勢バネ２６が被支持部３０の基部３０ａの後面に押し付けられ、付勢バネ２６によってアジャスター２７が前方へ付勢される。従って、アジャスター２７に後方へ移動される方向への力が付与されていない状態においては、被規制突部３０ｃ、３０ｃが抜け止め部１６に係合されてアジャスター２７が前方の移動端に位置されている。
【０１０３】
アジャスター２７は調整部２８がフロントパネル１９の挿入配置孔１９ａに挿入されて支持される。調整部２８が挿入配置孔１９ａに挿入された状態においては、アジャスター２７のフランジ部２９に形成された被案内孔２９ａ、２９ａ、・・・にそれぞれフロントパネル１９の案内部１９ｃ、１９ｃ、・・・が挿入され、アジャスター２７が案内部１９ｃ、１９ｃ、・・・に案内されて前後方向へ移動可能とされる。
【０１０４】
下側筐体７のフレーム部１７における突状配置部２１の内部には前側から順に押さえバネ３４と受け部材３５が配置される（図４参照）。押さえバネ３４は上側筐体６の内側構造部９における基板部１４の後側において基板部１４と離隔した状態で配置されている。
【０１０５】
受け部材３５の後側には支持体３６が配置される。支持体３６は球状に形成された球状部３６ａと球状部３６ａから後方へ突出された結合軸部３６ｂとから成る。支持体３６は、球状部３６ａの後端部を除く部分が突状配置部２１の内部に配置され、結合軸部３６ｂが下側筐体７のリアキャビネット２０に形成された軸挿通孔２１ａから後方へ突出される。
【０１０６】
支持体３６の球状部３６ａには押さえバネ３４によって受け部材３５が前方から押し付けられ、球状部３６ａと受け部材３５の間に一定の摩擦力が発生する。支持体３６の球状部３６ａには受け部材３５が任意の方向へ回転可能に保持される。
【０１０７】
支持体３６は結合軸部３６ｂがスタンド２の支え脚５の上端部に結合される（図３及び図７参照）。支持体３６の結合軸部３６ｂが支え脚５に結合された状態において、ホルダー３は受け部材３５が支持体３６の球状部３６ａに摺動されることにより任意の方向へ回動可能とされると共に押さえバネ３４の付勢力により球状部３６ａと受け部材３５の間に摩擦力が発生することによって回動された任意の位置において保持される。
【０１０８】
下側筐体７のフレーム部１７にはそれぞれ操作部３７、３８、３９、３９、４０が配置されている（図７、図８及び図１５参照）。操作部３７、３８、３９、３９、４０は、例えば、それぞれ電源釦、音楽データーの音量調整用の摘子、電子機器１００に記録された音楽データーの早送り・巻き戻し等の釦、上側筐体６の下側筐体７に対する移動を可能または規制するための釦として機能する。
【０１０９】
下側筐体７のフレーム部１７の内部における下端部には回動部材４１が回動自在に支持されている。回動部材４１は一部がフロントパネル１９の配置孔１９ｂに配置された状態において、左右に延びる図示しない回動軸を支点として回動可能とされている。
【０１１０】
回動部材４１には雄型コネクター４２が取り付けられている。雄型コネクター４２は回動部材４１から上方へ突出され保持突部２５の上側に位置されている。
【０１１１】
回動部材４１はフレーム部１７に支持された状態において、図示しないバネ部材によって前方へ回動される方向へ付勢されている。雄型コネクター４２に外力が付与されていない状態においては、バネ部材の付勢力によって垂直方向Ｈに対してθ°前方へ傾斜された位置、例えば、６°前方へ傾斜された位置である初期位置に保持される（図７参照）。
【０１１２】
雄型コネクター４２は初期位置を基準として回動され、例えば、垂直方向Ｈに対して前側に２５°傾斜される状態まで回動可能とされ、垂直方向Ｈ、即ち、０°まで後側に回動可能とされている。従って、雄型コネクター４２が初期位置を基準として回動され回動された方向への力の付与が解除されたときには、バネ部材の付勢力によって、常に、初期位置（６°の状態）に戻るようにされている。
【０１１３】
［接続装置の接続状態］
以下に、接続装置１の他の各部との接続状態について説明する（図１６参照）。
【０１１４】
上記のように構成された接続装置１は、例えば、車輌１０００において用いられる。接続装置１は車輌１０００の車内において、例えば、ダッシュボード等に取り付けられ、手動による操作の他、リモートコントロール装置５０による操作によって動作される。
【０１１５】
接続装置１は、例えば、車載用のスピーカーユニットにデーターの出力等を行うための処理装置（デジタル・シグナル・プロセッサー・ユニット：Digital Signal Processor Unit）６０に接続される。接続装置１と処理装置６０の接続はケーブル７０がそれぞれ接続装置１の接続コネクター３４と処理装置６０の接続端子とに接続されることにより行われる。
【０１１６】
処理装置６０は増幅回路として機能するアンプ８０を介して音声出力装置として機能するスピーカー９０に接続され、アンプ８０及びスピーカー９０に対して所定の処理を行ってこれらの各部を制御する。
【０１１７】
接続装置１から出力された音声データーは処理装置６０に送出され、処理装置６０から出力されてアンプ８０によって増幅されてスピーカー９０から高品質の音声として出力される。
【０１１８】
［接続装置に対する電子機器の着脱動作］
以下に、接続装置１に対する電子機器１００、２００の着脱動作について説明する（図１７乃至図３２参照）。
【０１１９】
電子機器１００、２００が接続される前の状態においては、付勢バネ２６の付勢力によってアジャスター２７が前方の移動端に位置されている（図１７及び図１８参照）。このときアジャスター２７は上側筐体６の基板部１４に設けられた移動規制部１４ｃ、１４ｃ、・・・の前側に離隔して位置されている（図１８参照）。
【０１２０】
電子機器１００、２００が接続される前の状態においては、雄型コネクター４２が初期位置にあり、ホルダー３のベース部２３が延びる方向（上下方向）に対して、例えば、６°前方、即ち、規制突部２２側へ傾斜されて位置されている（図１９参照）。このとき上側筐体６は下側筐体７に対して上方へ移動されて上方の移動端に位置されている。
【０１２１】
先ず、電子機器１００の着脱動作について説明する（図１９乃至図２５参照）。
【０１２２】
電子機器１００は上側の保持突部２４との干渉を回避するために稍前方に傾けられた状態で上方側からホルダー３のベース部２３に沿うようにして下方側へ移動され（図１９参照）、雌型コネクター１０１が雄型コネクター４２に接続される（図２０参照）。
【０１２３】
このとき雄型コネクター４２が規制突部２２側へ傾斜されているため、電子機器１００の雌型コネクター１０１に雄型コネクター４２を挿入し易く、雄型コネクター４２に対する雌型コネクター１０１の良好な着脱動作及び接続状態を確保することができる。
【０１２４】
次に、電子機器１００を後方に押圧し、電子機器１００をベース部２３に平行な状態とする（図２１参照）。このとき電子機器１００によってアジャスター２７が押圧され、付勢バネ２６が圧縮されてアジャスター２７が付勢バネ２６の付勢力に反して後方へ移動され（図２２参照）、付勢バネ２６の付勢力によって調整部２８が電子機器１００の背面に押し付けられる。
【０１２５】
アジャスター２７が後方へ移動されるときには、アジャスター２７はフロントパネル１９に設けられた案内部１９ｂ、１９ｂ、・・・に案内される（図２３参照）。
【０１２６】
従って、アジャスター２７が前後方向に対して傾くことがなく、アジャスター２７の円滑な移動動作を確保することができる。
【０１２７】
電子機器１００が後方へ押圧されるときには、電子機器１００は下端部を支点とするように回動され、このとき雄型コネクター４２が回動部材４１と一体になって回動される。このように雄型コネクター４２は回動される構成にされているため、電子機器１００が後方へ押圧されるときに雄型コネクター４２に負荷が付与されることがなく、電子機器１００が後方へ押圧されたときの雄型コネクター４２の変形を防止することができる。
【０１２８】
電子機器１００がベース部２３に平行な状態とされたときには、雄型コネクター４２は垂直方向Ｈ（角度０°）まで回動される。
【０１２９】
電子機器１００がベース部２３に平行な状態とされたときには、アジャスター２７のフランジ部２９の後面が移動規制部１４ｃ、１４ｃ、・・・の前面に近接して位置される（図２３参照）。
【０１３０】
次いで、上側筐体６を下側筐体７に対して下方へ移動させる（図２４参照）。上側筐体６が下方へ移動されると、上側筐体６における保持突部２４の前端部に設けられた位置規制突部１０ａに電子機器１００の上端部の前縁が係合される。従って、電子機器１００がホルダー３に保持される。このとき電子機器１００にはアジャスター２７を介して付勢バネ２６の付勢力が付与されているため、位置規制突部１０ａに電子機器１００の上端部の前縁が押し付けられ位置規制突部１０ａに電子機器１００が係合された状態が保持される。
【０１３１】
電子機器１００がホルダー３に保持された状態においては、電子機器１００がベース部２３に平行な状態にされている。電子機器１００がホルダー３に保持された状態において、処理装置６０に対して電子機器１００に記録された音楽データーの出力が行われる。
【０１３２】
電子機器１００を接続装置１から取り出すときには、先ず、上側筐体６を下側筐体７に対して上方へ移動させる。上側筐体６が上方へ移動されると、上側筐体６における保持突部２４の前端部に設けられた位置規制突部１０ａと電子機器１００の上端部の前縁との係合が解除されて付勢バネ２６の付勢力によってアジャスター２７が前方へ移動され、電子機器１００がアジャスター２７によって前方へ押圧される。
【０１３３】
電子機器１００がアジャスター２７によって前方へ押圧されると、電子機器１００は下端部を支点とするように回動され、電子機器１００が前側に傾斜され、このとき雄型コネクター４２が回動部材４１と一体になって回動される。このように雄型コネクター４２は回動される構成にされているため、電子機器１００が前方へ押圧されるときに雄型コネクター４２に負荷が付与されることがなく、電子機器１００が前方へ押圧されたときの雄型コネクター４２の変形を防止することができる。
【０１３４】
次いで、電子機器１００を把持して電子機器１００をさらに前側に傾斜させる（図２５参照）。電子機器１００がさらに前側に傾斜されるときにも、雄型コネクター４２が回動部材４１と一体になって回動される。
【０１３５】
電子機器１００の前側への傾斜は下端部の前面が規制突部２２に接触するまで行うことが可能であり、電子機器１００の下端部の前面が規制突部２２に接触することにより、電子機器１００の前側への傾斜が規制される。
【０１３６】
続いて、電子機器１００が前斜め上方へ引き抜かれることにより、雌型コネクター１０１と雄型コネクター４２の接続が解除され、電子機器１００が接続装置１から取り出される。
【０１３７】
電子機器１００が接続装置１から取り出されると、バネ部材の付勢力によって雄型コネクター４２が初期位置に戻る（図１９参照）。
【０１３８】
上記したように、接続装置１にあっては、雄型コネクター４２が初期位置を基準として反対方向へ回動可能とされ、雄型コネクター４２を初期位置に向けて付勢するバネ部材を設けている。
【０１３９】
従って、電子機器１００が接続装置１に接続される前の状態において、常に、雄型コネクター４２が初期位置に保持されているため、電子機器１００、２００の接続装置１に対する取付動作を容易に行うことができる。
【０１４０】
次に、電子機器２００の着脱動作について説明する（図２６乃至図３０参照）。電子機器２００は厚みが電子機器１００の厚みより厚くされている。
【０１４１】
電子機器２００は、電子機器１００の場合と同様に、上側の保持突部２４との干渉を回避するために稍前方に傾けられた状態で上方側からホルダー３のベース部２３に沿うようにして下方側へ移動され、雌型コネクター２０１が雄型コネクター４２に接続される。
【０１４２】
このとき雄型コネクター４２が規制突部２２側へ傾斜されているため、電子機器２００の雌型コネクター２０１に雄型コネクター４２を挿入し易く、雄型コネクター４２に対する雌型コネクター２０１の良好な着脱動作及び接続状態を確保することができる。
【０１４３】
次に、電子機器２００を後方に押圧し、電子機器２００をベース部２３に平行な状態に近付けていく（図２６参照）。このとき電子機器２００によってアジャスター２７が押圧され、付勢バネ２６が圧縮されてアジャスター２７が付勢バネ２６の付勢力に反して後方へ移動され（図２７参照）、付勢バネ２６の付勢力によって調整部２８が電子機器２００の背面に押し付けられる。
【０１４４】
アジャスター２７が後方へ移動されるときには、アジャスター２７はフロントパネル１９に設けられた案内部１９ｂ、１９ｂ、・・・に案内される。
【０１４５】
従って、アジャスター２７が前後方向に対して傾くことがなく、アジャスター２７の円滑な移動動作を確保することができる。
【０１４６】
電子機器２００が後方へ押圧されるときには、電子機器２００は下端部を支点とするように回動され、このとき雄型コネクター４２が回動部材４１と一体になって回動される。このように雄型コネクター４２は回動される構成にされているため、電子機器２００が後方へ押圧されるときに雄型コネクター４２に負荷が付与されることがなく、電子機器２００が後方へ押圧されたときの雄型コネクター４２の変形を防止することができる。
【０１４７】
電子機器２００がベース部２３に平行な状態に近付いていくと、アジャスター２７のフランジ部２９の後面が移動規制部１４ｃ、１４ｃ、・・・の前面に接触し、アジャスター２７の後方への移動が規制される（図２７参照）。
【０１４８】
引き続き電子機器２００は後方へ押圧されてベース部２３に平行な状態にされる（図２８参照）。このときアジャスター２７は移動規制部１４ｃ、１４ｃ、・・・によって後方への移動が規制されているため、アジャスター２７は電子機器２００によって弾性変形部３３が後方へ押圧されて他の部分に対して弾性変形される（図２９及び図３０参照）。弾性変形部３３が弾性変形されるときには、電子機器２００によって接触部３１が後方へ移動されるため、付勢バネ２６がさらに圧縮される。
【０１４９】
上記したように、弾性変形部３３はエラストマー等のゴム材料によって形成されているため、アジャスター２７が電子機器２００によって後方へ押圧されたときに弾性変形部３３を確実に弾性変形させることができる。
【０１５０】
また、アジャスター２７のフランジ部２９を樹脂材料又は金属材料によって形成しているため、アジャスター２７の剛性が高くなり、アジャスター２７が電子機器１００、２００によって押圧されたときに塑性変形することがなく、アジャスター２７の良好な機能性を確保することができる。
【０１５１】
さらに、弾性変形部２７は移動規制部１４ｃ、１４ｃ、・・・によってアジャスター２７の移動が規制された状態において弾性変形されるため、アジャスター２７の移動量が少なくて済み、その分、アジャスター２７の小型化を確保することができる。
【０１５２】
加えて、アジャスター２７は外周部３２が後方へ行くに従って外方へ変位するように緩やかに傾斜されているため、弾性変形部３３が弾性変形された状態において弾性変形部３３がフロントパネル１９の挿入配置孔１９ａから外側にはみ出してしまうことがない（図２９及び図３０参照）。従って、電子機器２００の後面とフロントパネル１９の前面との間に弾性変形部３３の一部が挟まれるようなことがなく、電子機器２００のホルダー３に対する適正な保持状態を確保することができると共にアジャスター２７の傷付きや破損を防止することができる。
【０１５３】
電子機器２００がベース部２３に平行な状態とされたときには、雄型コネクター４２は垂直方向Ｈ（角度０°）まで回動される。
【０１５４】
次いで、上側筐体６を下側筐体７に対して下方へ移動させる。上側筐体６が下方へ移動されると、上側筐体６における保持突部２４の前端部に設けられた位置規制突部１０ａに電子機器２００の上端部の前縁が係合される。従って、電子機器２００がホルダー３に保持される。このとき電子機器２００にはアジャスター２７を介して付勢バネ２６の付勢力及び弾性変形部３３の弾性力が付与されているため、位置規制突部１０ａに電子機器２００の上端部の前縁が押し付けられ位置規制突部１０ａに電子機器２００が係合された状態が保持される。
【０１５５】
電子機器２００がホルダー３に保持された状態においては、電子機器２００がベース部２３に平行な状態にされている。電子機器２００がホルダー３に保持された状態において、処理装置６０に対して電子機器２００に記録された音楽データーの出力が行われる。
【０１５６】
電子機器２００を接続装置１から取り出すときには、先ず、上側筐体６を下側筐体７に対して上方へ移動させる。上側筐体６が上方へ移動されると、上側筐体６における保持突部２４の前端部に設けられた位置規制突部１０ａと電子機器２００の上端部の前縁との係合が解除されて弾性変形部３３の弾性力及び付勢バネ２６の付勢力によってアジャスター２７が前方へ移動され、電子機器２００がアジャスター２７によって前方へ押圧される。
【０１５７】
アジャスター２７は弾性変形部３３が弾性復帰して元の状態に戻る。
【０１５８】
電子機器２００がアジャスター２７によって前方へ押圧されると、電子機器２００は下端部を支点とするように回動され、電子機器２００が前側に傾斜され、このとき雄型コネクター４２が回動部材４１と一体になって回動される。このように雄型コネクター４２は回動される構成にされているため、電子機器２００が前方へ押圧されるときに雄型コネクター４２に負荷が付与されることがなく、電子機器２００が前方へ押圧されたときの雄型コネクター４２の変形を防止することができる。
【０１５９】
次いで、電子機器２００を把持して電子機器２００をさらに前側に傾斜させる。電子機器２００がさらに前側に傾斜されるときにも、雄型コネクター４２が回動部材４１と一体になって回動される。
【０１６０】
電子機器２００の前側への傾斜は下端部の前面が規制突部２２に接触するまで行うことが可能であり、電子機器２００の下端部の前面が規制突部２２に接触することにより、電子機器２００の前側への傾斜が規制される。
【０１６１】
続いて、電子機器２００が前斜め上方へ引き抜かれることにより、雌型コネクター２０１と雄型コネクター４２の接続が解除され、電子機器２００が接続装置１から取り出される。
【０１６２】
電子機器２００が接続装置１から取り出されると、バネ部材の付勢力によって雄型コネクター４２が初期位置に戻る（図１９参照）。
【０１６３】
上記したように、接続装置１にあっては、雄型コネクター４２が初期位置を基準として反対方向へ回動可能とされ、雄型コネクター４２を初期位置に向けて付勢するバネ部材を設けている。
【０１６４】
従って、電子機器２００が接続装置１に接続される前の状態において、常に、雄型コネクター４２が初期位置に保持されているため、電子機器１００、２００の接続装置１に対する取付動作を容易に行うことができる。
【０１６５】
尚、上記には、保護カバー３００、４００がそれぞれ取り付けられていない電子機器１００、２００の接続装置１に対する着脱動作について説明したが、電子機器１００、２００は保護カバー３００、４００がそれぞれ取り付けられた状態においても接続装置１に対して着脱可能である。
【０１６６】
保護カバー３００が取り付けられた電子機器１００が接続装置１に取り付けられた状態においては、付勢バネ２６の付勢力によって調整部２８が電子機器１００に取り付けられた保護カバー３００に押し付けられる。このときアジャスター２７のフランジ部２９の後面が移動規制部１４ｃ、１４ｃ、・・・の前面に近接又は接触した状態で位置される。
【０１６７】
また、保護カバー４００が取り付けられた電子機器２００が接続装置１に取り付けられた状態においては、付勢バネ２６の付勢力及び弾性変形部３３の弾性力によって調整部２８が電子機器２００に取り付けられた保護カバー４００に押し付けられる（図３１参照）。このときアジャスター２７の弾性変形部３３は、接続装置１に保護カバー４００が取り付けられていない電子機器２００が取り付けられた場合よりも大きく弾性変形される（図３２参照）。
【０１６８】
［まとめ］
以上に記載した通り、接続装置１にあっては、アジャスター２７の一部が電子機器１００、２００に押圧されて弾性変形される弾性変形部３３として設けられ、電子機器１００、２００がホルダー３に保持されるときに電子機器１００、２００の大きさに応じてアジャスター２７が移動されて付勢バネ２６が弾性変形され又はアジャスター２７が移動されて付勢バネ２６と弾性変形部３３が弾性変形される。
【０１６９】
従って、大きさの大きい電子機器２００がホルダーに保持されるときにはアジャスター２７が所定の位置まで後方へ移動されると共に後方へ移動された所定の位置において弾性変形部３３が弾性変形されるため、アジャスター２７が一定以上には移動されることがなく、その分、接続装置１の他の構造の十分な配置スペースが確保され、小型化を確保した上で大きさの異なる電子機器１００、２００を保持することができる。
【０１７０】
また、接続装置１にあっては、電子機器１００、２００及び保護カバー３００、４００がそれぞれ取り付けられた電子機器１００、２００の接続装置１に対する着脱を、常に同じ作業によって行うことができ、電子機器１００、２００をホルダー３に容易に着脱することができる。
【０１７１】
さらに、接続装置１にあっては、付勢バネ２６の付勢力とアジャスター２７の弾性変形部３３の弾性力とによってアジャスター２７の移動又は変形が行われるため、付勢バネ２６の付勢力、アジャスター２７の移動量及び弾性変形部３３の変形の程度を適宜に設定することにより、保持される電子機器１００、２００に対するアジャスター２７からの力（反力）を自由に変更することができる。
【０１７２】
従って、例えば、厚みの薄い重量の小さい電子機器１００に対してはアジャスター２７から小さな反力が付与されるようにし、厚みの厚い重量の大きい電子機器２００に対してはアジャスター２７から大きな反力が付与されるようにすることが可能である。
【０１７３】
また、アジャスター２７の移動方向が電子機器１００、２００の厚み方向にされているため、電子機器１００、２００の厚み方向において接続装置１の小型化を確保した上で厚みの異なる電子機器１００、２００を保持することができる。
【０１７４】
さらに、アジャスター２７はエラストマー等のゴム材料によって形成された部分と樹脂材料又は金属材料によって形成された部分とによって構成され、両者が一体に形成されているため、アジャスター２７を容易に形成することができると共に部品点数の削減が図られ、その分、接続装置１の製造コストの低減を図ることができる。
【０１７５】
さらにまた、アジャスター２７を案内する案内部１９ｂ、１９ｂ、・・・がホルダー３に一体に形成されているため、部品点数の削減を図ることができる。
【０１７６】
また、アジャスター２７の移動を規制する移動規制部１４ｃ、１４ｃ、・・・がホルダー３に一体に設けられているため、一層の部品点数の削減を図ることができる。
【０１７７】
加えて、接続装置１にあっては、ホルダー３にアジャスター２７を支持するベース部２３とベース部２３の上下両端部からそれぞれ略同じ方向へ突出されそれぞれ電子機器１００、２００の上下両端部に係合して電子機器１００、２００を挟持する一対の保持突部２４、２５とが設けられている。
【０１７８】
従って、電子機器１００、２００を確実かつ容易にホルダー３に保持させることができる。
【０１７９】
［本技術］
本技術は、以下のような構成とすることができる。
【０１８０】
（１）電子機器を保持するホルダーと、前記ホルダーに所定の方向へ移動自在に支持されると共に前記ホルダーに保持された前記電子機器に接触されるアジャスターと、前記ホルダーに保持された前記電子機器に前記アジャスターを押し付ける方向へ付勢する付勢バネとを備え、前記アジャスターの少なくとも一部が前記電子機器に押圧されて弾性変形可能な弾性変形部として設けられ、前記電子機器が前記ホルダーに保持されるときに前記電子機器の大きさに応じて前記アジャスターが移動されて前記付勢バネが弾性変形され又は前記アジャスターが移動されて前記付勢バネと前記弾性変形部が弾性変形されるようにした接続装置。
【０１８１】
（２）前記所定の方向が前記電子機器の厚み方向にされた前記（１）に記載の接続装置。
【０１８２】
（３）前記アジャスターに弾性変形部から外方へ張り出されたフランジ部が設けられ、前記フランジ部を樹脂材料又は金属材料によって形成した前記（１）又は前記（２）に記載の接続装置。
【０１８３】
（４）前記アジャスターの弾性変形部と前記弾性変形部以外の部分とを一体に形成した前記（３）に記載の接続装置。
【０１８４】
（５）前記弾性変形部をゴム材料によって形成した前記（１）から前記（４）の何れかに記載の接続装置。
【０１８５】
（６）前記アジャスターを前記所定の方向へ案内する案内部を設けた前記（１）から前記（５）の何れかに記載の接続装置。
【０１８６】
（７）前記案内部を前記ホルダーに一体に設けた前記（６）に記載の接続装置。
【０１８７】
（８）前記電子機器が前記ホルダーに保持されたときに前記アジャスターの前記所定の方向における一定量以上の移動を規制する移動規制部を設け、前記移動規制部によって前記アジャスターの移動が規制された状態において前記弾性変形部が弾性変形可能とされた前記（１）から前記（７）の何れかに記載の接続装置。
【０１８８】
（９）前記移動規制部を前記ホルダーに一体に設けた前記（８）に記載の接続装置。
【０１８９】
（１０）前記アジャスターが前記電子機器に接触される接触部と前記接触部の外周縁から突出された外周部とを有し、前記ホルダーに前記アジャスターの一部が挿入されて配置される挿入配置孔が形成され、前記外周部が前記接触部から離隔するに従って外形が大きくなる形状に形成された前記（１）から前記（９）の何れかに記載の接続装置。
【０１９０】
（１１）前記ホルダーに前記アジャスターを支持するベース部と前記ベース部の両端部からそれぞれ略同じ方向へ突出され前記電子機器の両端部に係合して前記電子機器を挟持する一対の保持突部とを設けた前記（１）から前記（１０）の何れかに記載の接続装置。
【０１９１】
上記した技術の最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１９２】
【図１】図２乃至図３２と共に本技術接続装置を示すものであり、本図は、接続装置と接続装置に接続される厚みの異なる電子機器を示す斜視図である。
【図２】保護カバーが取り付けられた各電子機器を示す斜視図である。
【図３】接続装置をスタンドとホルダーを分離して示す斜視図である。
【図４】接続装置の一部を示す分解斜視図である。
【図５】上側筐体の内側構造部を示す拡大正面図である。
【図６】下側筐体のフロントパネルの上部を示す拡大背面図である。
【図７】接続装置の側面図である。
【図８】接続装置の正面図である。
【図９】図１０乃至図１２と共にアジャスターを示すものであり、本図は、拡大正面図である。
【図１０】拡大側面図である。
【図１１】図９のＸＩ−ＸＩ線に沿う断面図である。
【図１２】図９のＸＩＩ−ＸＩＩ線に沿う断面図である。
【図１３】図８のＡ−Ａ線に沿う断面図である。
【図１４】図８のＢ−Ｂ線に沿う断面図である。
【図１５】図７とは反対方向から見た状態で示す接続装置の側面図である。
【図１６】接続装置の他の各部との接続状態を示すブロック図である。
【図１７】図１８乃至図３２と共に接続装置に対する電子機器の着脱動作を示すものであり、本図は、電子機器が接続装置に接続される前の状態を示す拡大断面図である。
【図１８】電子機器が接続装置に接続される前の状態を示す図１７とは別の拡大断面図である。
【図１９】厚みの薄い電子機器の接続装置への取付が開始された直後の状態を示す側面図である。
【図２０】厚みの薄い電子機器の雌型コネクターが雄型コネクターに接続された状態を示す側面図である。
【図２１】厚みの薄い電子機器が後方へ押圧されベース部と平行にされた状態を示す側面図である。
【図２２】厚みの薄い電子機器によってアジャスターが押圧されて移動された状態を示す拡大断面図である。
【図２３】厚みの薄い電子機器によってアジャスターが押圧されて移動された状態を示す図２２とは異なる拡大断面図である。
【図２４】厚みの薄い電子機器がホルダーに保持されて接続装置に接続された状態を示す側面図である。
【図２５】厚みの薄い電子機器の接続装置からの取出時に、電子機器が前方に傾けられた状態を示す側面図である。
【図２６】厚みの厚い電子機器の雌型コネクターが雄型コネクターに接続された状態においてアジャスターが電子機器によって押圧されて移動されている状態を示す側面図である。
【図２７】アジャスターの後方への移動が規制された状態を示す拡大断面図である。
【図２８】厚みの厚い電子機器がホルダーに保持されて接続装置に接続された状態を示す側面図である。
【図２９】アジャスターが厚みの厚い電子機器によって後方へ押圧されて弾性変形部が弾性変形された状態を示す拡大断面図である。
【図３０】アジャスターが厚みの厚い電子機器によって後方へ押圧されて弾性変形部が弾性変形された状態を示す図２９とは異なる拡大断面図である。
【図３１】保護カバーが取り付けられた厚みの厚い電子機器がホルダーに保持されて接続装置に接続された状態を示す側面図である。
【図３２】保護カバーが取り付けられた厚みの厚い電子機器によってアジャスターが後方へ押圧されて弾性変形部が弾性変形された状態を示す拡大断面図である。
【符号の説明】
【０１９３】
１…接続装置、３…ホルダー、１４ｃ…移動規制部、１９ａ…挿入配置孔、１９ｃ…案内部、２３…ベース部、２４…保持突部、２５…保持突部、２６…付勢バネ、２７…アジャスター、２９…フランジ部、３１…接触部、３２…外周部、３３…弾性変形部、１００…電子機器、２００…電子機器
【図１】
2013091334.tif 000003
【図２】
2013091334.tif 000004
【図３】
2013091334.tif 000005
【図４】
2013091334.tif 000006
【図５】
2013091334.tif 000007
【図６】
2013091334.tif 000008
【図７】
2013091334.tif 000009
【図８】
2013091334.tif 000010
【図９】
2013091334.tif 000011
【図１０】
2013091334.tif 000012
【図１１】
2013091334.tif 000013
【図１２】
2013091334.tif 000014
【図１３】
2013091334.tif 000015
【図１４】
2013091334.tif 000016
【図１５】
2013091334.tif 000017
【図１６】
2013091334.tif 000018
【図１７】
2013091334.tif 000019
【図１８】
2013091334.tif 000020
【図１９】
2013091334.tif 000021
【図２０】
2013091334.tif 000022
【図２１】
2013091334.tif 000023
【図２２】
2013091334.tif 000024
【図２３】
2013091334.tif 000025
【図２４】
2013091334.tif 000026
【図２５】
2013091334.tif 000027
【図２６】
2013091334.tif 000028
【図２７】
2013091334.tif 000029
【図２８】
2013091334.tif 000030
【図２９】
2013091334.tif 000031
【図３０】
2013091334.tif 000032
【図３１】
2013091334.tif 000033
【図３２】
2013091334.tif 000034